(57)【要約】【課題】駆動系のモータを用いて換気ファンを回転させる印刷装置を提供する。【解決手段】  制御基板と、制御基板から供給される駆動信号に応じて回転するモータと、モータの回転に対応して回転することで、印刷のための記録媒体を搬送路上に搬送するプラテンローラと、モータの回転に対応して回転する換気のためのファンをもつ印刷装置。【選択図】図１
2012162023.tif 000002
【特許請求の範囲】
【請求項１】
制御基板と、
前記制御基板から供給される駆動信号に応じて回転するモータと、
前記モータの回転に対応して回転することで、印刷のための記録媒体を搬送路上に搬送するプラテンローラと、
前記モータの回転に対応して回転する換気のためのファンと、
を具備することを特徴とする印刷装置。
【請求項２】
前記ファンは、前記モータとギアを介することで回転することを特徴とする請求項１記載の印刷装置。
【請求項３】
前記ファンは、前記モータと同軸接続されることで回転することを特徴とする請求項１記載の印刷装置。
【請求項４】
前記ファンは、前記プラテンローラと同軸に設けられることを特徴とする請求項１記載の印刷装置。
【請求項５】
前記ファンは、前記印刷装置の筐体の中であって前記制御基板が設けられる領域内の雰囲気を換気することを特徴とする請求項１記載の印刷装置。
【請求項６】
印刷のための記録媒体を搬送路上に搬送するプラテンローラを回転させるためのモータの動力を用いて、換気のためのファンを回転させることで、筐体内の換気を行うことを特徴とする印刷装置の換気方法。
【発明の詳細な説明】
【技術分野】
【０００１】
本発明の実施形態は、インクリボン等を用いて記録媒体上に印刷を行う印刷装置および印刷装置の換気方法に関する。
【背景技術】
【０００２】
最近、印刷装置は用途が複雑化・多様化してきており、様々な形態の印刷処理が可能になってきている。このような印刷装置では、特に印字処理の際に制御基板や電源部の発熱が生じるため、基板の動作を安定させるためにも、適切な放熱を効率的に行わなければならないという必要がある。
【先行技術文献】
【特許文献】
【０００３】
【特許文献１】特許２６１８８２５号公報
【発明の概要】
【発明が解決しようとする課題】
【０００４】
印刷装置においては、特に、記録媒体上に印刷を行う際に、駆動回路等を搭載した制御基板等が発熱するため、適切な換気処理を行う必要がある。しかしながら、専用のモータや駆動回路を用意すると、コスト高になるという問題がある。
【課題を解決するための手段】
【０００５】
課題を解決する一実施形態は、
制御基板と、
前記制御基板から供給される駆動信号に応じて回転するモータと、
前記モータの回転に対応して回転することで、印刷のための記録媒体を搬送路上に搬送するプラテンローラと、
前記モータの回転に対応して回転する換気のためのファンと、
を具備することを特徴とする印刷装置である。
【図面の簡単な説明】
【０００６】
【図１】本発明の一実施形態に係る印刷装置における外観の一例を示す外観図。
【図２】同印刷装置の内部の一例を示す説明図。
【図３】同印刷装置における機械的構成の一例を示す説明図。
【図４】同印刷装置における電気的構成の一例を示すブロック図。
【図５】同印刷装置におけるプラテンローラとファンの構成の一例を示す説明図。
【図６】同印刷装置におけるプラテンローラとファンの構成の他の一例を示す説明図。
【図７】同印刷装置におけるプラテンローラとファンの構成の他の一例を示す説明図。
【発明を実施するための形態】
【０００７】
以下、この発明の実施の形態について図面を参照して詳細に説明する。  
本発明の一実施形態に係る印刷装置１を図１乃至図４を用いて、以下に詳細に説明する。本発明の一実施形態に係る印刷装置１は、図１において、プリンタエンジンを格納する制御ボックス６と、この制御ボックス６とヒンジにより回動可能に接続されているカバー７と、さらに、カバー７の正面に設けられ、印刷された記録媒体を排出する排出口３と、制御ボックス６の正面に設けられた操作部４と、操作情報や操作メニュを表示する液晶画面等を用いた表示部５を有している。
【０００８】
本発明の一実施形態に係る印刷装置１は、さらに図２および図３において、カバー７を開くと、用紙ロールＡを回転可能に保持する用紙保持部５７と、インクリボンロールＢを保持してインクリボンＲを供給するリボン供給軸５５と、リボン供給軸５５から供給されるインクリボンＲを巻き取って保持するリボン巻取軸５６と、一対のサイドフェンス５８ａ，５８ｂを有している。さらに、印刷装置１は、図２および図３に示すように、用紙保持部５７に保持される用紙ロールＡから供給される用紙Ｄを搬送する搬送ローラ１０および搬送路１２と、搬送路１２に設けられ用紙Ｄを搬送するピンチローラ５０と、搬送路１２に設けられ用紙Ｄを検出する用紙検出センサ１７と、リボン供給軸５５からインクリボンＲが供給される搬送路１９と、保持側板２２と、インクリボンＲおよび用紙Ｄを搬送するプラテンローラ１３と、用紙Ｄに印刷を行うサーマルヘッド２８を有しており、印刷した用紙Ｄは、排出口３から排出される。
【０００９】
また、本発明の一実施形態に係る印刷装置１は、さらに図４の電気的構成の一例を示すブロック図を参照すると、全体の動作を制御する制御部３１と、それぞれが制御部３１に接続され、操作情報や設定情報、動作プログラム等が格納されているＦＲＯＭ３２（Floating Read Only Memory）、ＲＡＭ（Random Access Memory）３３と、表示部の働きを制御する表示制御回路３４と、表示制御回路３４に制御される液晶画面等の表示部５と、外部に設けられたユーザ等が扱うホストコンピュータＨ等と通信を行う通信部１６と、上述した操作部４と、上述した搬送ローラ１０、プラテンローラ１３、ピンチローラ５０、そして換気のためのファン６１ａ、６１ｂ、６１ｃ等を駆動するステッピングモータ３６と、ステッピングモータ３６を制御するモータ制御回路３５と、上述したリボン巻取軸５６を駆動するリボンモータ３８と、リボンモータ３８を制御するモータ制御回路３７と、上述したサーマルヘッド２８を制御するヘッド制御回路３９を有している。
【００１０】
このような構成をもつ印刷装置１は、制御部３１の制御下において、操作部４またはホストコンピュータＨからの操作に従って、一例として、記録媒体である用紙Ｄにサーマルヘッド２８により印刷して、搬送ローラ１０、プラテンローラ１３、ピンチローラ５０等により用紙Ｄを搬送して排出口３へと排出する。
【００１１】
次に、ステッピングモータ３６と、換気のためのファン６１ａ、６１ｂ、６１ｃ等の関係を、図５乃至図７に基づいて、以下に詳細に説明する。図５乃至図７は、印刷装置におけるプラテンローラとファンの構成の一例を示す説明図である。
【００１２】
図５において、少なくとも、図４で示した制御部３１、ＦＲＯＭ３２、ＲＡＭ３３、モータ制御回路３５、モータ制御回路３７等を搭載した制御基板６７が、筐体内の制御系内部に設けられている。一方、印刷のための記録媒体を搬送路２９に上に搬送させるためのプラテンローラ１３が用紙収納印刷および搬送部において設けられている。また、換気のための換気口６８が筐体に設けられる。
【００１３】
ここで、ラインフィールドモータであるステッピングモータ３６は、制御基板６７から駆動信号が供給されている。また、ステッピングモータ３６の動力は、ギア６５を介して、プラテンローラ１３に同軸なギア６４を介して換気のためのファン６１ａに同軸のギア６３に伝達され、ファン６１ａを回転させる。
【００１４】
また、図６においては、プラテンローラ１３とファン６１ｂが同軸となる。すなわち、ラインフィールドモータであるステッピングモータ３６は、制御基板６７から駆動信号が供給されている。また、ステッピングモータ３６の動力は、ギア６５およびギア６６を介して、換気のためのファン６１ｂおよびプラテンローラ１３に同軸なギア６３を介してファン６１ｂに伝達されてファン６１ｂを回転させる。
【００１５】
また、図７においては、ステッピングモータ３６とファン６１ｃが同軸となる。すなわち、ラインフィールドモータであるステッピングモータ３６は、制御基板６７から駆動信号が供給されている。また、ステッピングモータ３６の動力は、ステッピングモータ３６と同軸のファン６１ｃを直接回転させ、ギア６５およびギア６３を介して、プラテンローラ１３を回転させる。
【００１６】
このように、本発明の一実施形態である印刷装置においては、搬送系であるプラテンローラ１３等を回転させるためのステッピングモータ３６を用いて、電源部や制御回路等を搭載しており発熱が危惧される制御基板６７が設置される制御系内部において、特に記録媒体等を搬送するために、ステッピングモータ３６を回転させることにより同時にファン６１ａ、６１ｂ、６１ｃをも回転させることができる。これにより、印刷時であって搬送系を駆動させる際に特に回路基板等からの発熱が危惧されるタイミングにおいて、ファン６１ａ、６１ｂ、６１ｃにより換気を行うことができるので、専用のモータを用意することなく、適切な換気処理を低コストで実現することができる。
【００１７】
以上記載した様々な実施形態は複数同時に実施することが可能であり、これらの記載により、当業者は本発明を実現することができるが、さらにこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００１８】
１…印刷装置、４…操作部、５…表示部、３１…制御部、２８…サーマルヘッド、１６…通信部、Ｈ…ホストコンピュータ、３６…ラインフィールドモータ、６１…ファン、６３、６４、６５、６６…ギア、６７…制御基板。
【図１】
2012162023.tif 000003
【図２】
2012162023.tif 000004
【図３】
2012162023.tif 000005
【図４】
2012162023.tif 000006
【図５】
2012162023.tif 000007
【図６】
2012162023.tif 000008
【図７】
2012162023.tif 000009